(57)【要約】      （修正有）【課題】各棚における物品載置領域を支柱により制限されることがなく、すっきり感を現出できるとともに、耐荷重性に優れ、更には棚の配置態様の多様化を図ることができる棚構造を提供する。【解決手段】棚構造は、例えば壁面近傍の位置で、床面６１と天井６２との間に所定の間隔で並列に、かつ、垂直に固定配置する一対の支柱２、２と、前記一対の支柱２、２に基端側の各筒部を各々高さ調整可能に嵌装し、前記各筒部から突設したアーム部を平行状態に突出させるとともに、各アーム部に受凹部を設けた２個一組を同一高さに設定する例えば３組、６個の棚用受アーム８１と、２個一組の各棚用受アーム８１により水平状配置に支持した２個の平棚９１及び１個の深棚１０１とを有する構成としたものである。【選択図】図１
0003191111.tif 000002
【実用新案登録請求の範囲】
【請求項１】
所定の間隔で並列に、かつ、垂直に配置する一対の支柱に装着するようにした棚構造であって、
前記一対の支柱に基端側の各筒部を各々高さ調整可能に嵌装し、当該各筒部から突設したアーム部を平行状態に突出させるとともに、各アーム部に棚用の受凹部を設けた２個一組を同一高さに設定する任意組数の棚用受アームと、
前記２個一組の各棚用受アーム及びその各受凹部により支持された前記棚用受アームの組数に相当する個数の棚と、
を有することを特徴とする棚構造。
【請求項２】
所定の間隔で並列に、かつ、垂直に配置する一対の支柱に装着するようにした棚構造であって、
前記一対の支柱に基端側の各筒部を各々高さ調整可能に嵌装し、当該各筒部から突設したアーム部を平行状態に突出させるとともに、各アーム部に棚用の受凹部を設けた２個一組を同一高さに、かつ、２段に分けて配置する２組の棚用受アームと、
２段に分けて配置する２組の棚用受アーム及びその各受凹部により各々支持された平棚、深棚と、
前記一対の支柱に基端側の各筒部を各々高さ調整可能に嵌装し、当該各筒部から突設したアーム部を平行状態に突出させるとともに、各アーム部に棚用の受凹部を設けた２個一組の棚用受アームと、
前記２個一組の棚用受アーム及びその各受凹部により支持された平棚と、
を有することを特徴とする棚構造。
【請求項３】
前記各棚用受アームの各筒部には、各筒部を支柱に固定するための安全ボルトが配置されていることを特徴とする請求項１又は２に記載の棚構造。
【考案の詳細な説明】
【技術分野】
【０００１】
本考案は、各棚における物品載置領域を棚支柱により制限されることがなく、すっきり感を現出できるとともに、耐荷重性に優れ、更には棚の配置態様の多様化を図ることができる棚構造に関するものである。
【背景技術】
【０００２】
従来から、室内等における比較的簡易な棚として、例えば４本の支柱を床面上に四角形配置で起立配置するとともに、４本の支柱及び各支柱に取り付けた所要数の棚受具により例えば３個、４個等複数個の棚部の四隅を所定の間隔をもって上下配置に、かつ、水平状配置に固定支持して一体的構造物を構成し、各棚部上に各種物品を載置するような構成のものが知られている。
【０００３】
このような棚の場合、４本の支柱のうちの２本は室内等における壁際に配置できるものの、他の２本の支柱は壁際から棚部の奥行寸法分手前に出っ張る配置となるため、すっきり感に欠け、また、各棚部の物品載置領域も特に手前両隅部に存在する２本の支柱により制限されてしまうものであった。
【０００４】
また、比較的簡易な棚として、突っ張りポール型の支柱を用いた棚も知られている。この場合も、４本の突っ張りポール型の支柱を用いる構成では上述した場合と同様な問題がり、他方、２本の突っ張りポール型の支柱を壁際に配置し、この２本の支柱及び各支柱に取り付けた所要数の棚受具により支持した複数個の棚部を手前に突出させた構造の棚では、すっきり感は出るものの必要十分な耐荷重性を得ることは困難であった。
【０００５】
特許文献１には、二本の支柱の背面に棚板取り付け穴が設けられ、棚板取り付け穴に棚受部材の舌片が挿入されることにより、棚受部材を支柱に係止するように構成し、棚受部材に棚板を載置し、取り付けネジとナットとを用いて棚板を固定する構造の組立式棚が提案されている。
【０００６】
しかし、この組立式棚の場合、上述した場合と同様、すっきり感は出るものの必要十分な耐荷重性を得ることは困難で、かつ、極めて複雑機構のものである。
【先行技術文献】
【特許文献】
【０００７】
【特許文献１】特開２０１０−１７９０３２号公報
【考案の概要】
【考案が解決しようとする課題】
【０００８】
本考案が解決しようとする問題点は、各棚における物品載置領域を棚支柱により制限されることがなく、すっきり感を現出できるとともに、耐荷重性に優れ、更には棚の配置態様の多様化を図ることができるような棚構造が従来存在しない点である。
【課題を解決するための手段】
【０００９】
本考案に係る棚構造は、例えば壁面近傍の位置で、所定の間隔で並列に、かつ、垂直に固定配置する一対の支柱と、前記一対の支柱に基端側の各筒部を各々高さ調整可能に嵌装し、前記各筒部から突設したアーム部を壁面前方に平行状に突出させるとともに、前記各アーム部に棚用の受凹部を設けた２個一組を同一高さに設定する任意組数の棚用受アームと、２個一組の各棚用受アーム及びその各受凹部により水平状配置に支持した前記棚用受アームの組数に相当する個数の棚と、を有することを主要な特徴とする。
【考案の効果】
【００１０】
請求項１記載の各考案によれば、例えば壁面近傍の位置で、所定の間隔で並列に、かつ、垂直に固定配置する一対の支柱と、前記一対の支柱に基端側の各筒部を各々高さ調整可能に嵌装し、前記各筒部から突設したアーム部を平行状態に突出させるとともに、前記各アーム部に棚用の受凹部を設けた２個一組を同一高さに設定する任意組数の棚用受アームと、２個一組の各棚用受アーム及びその各受凹部により水平状配置に支持した前記棚用受アームの組数に相当する個数の棚と、を有する構成の基に、各棚における物品載置領域を棚支柱により制限されることがなく、すっきり感を現出できるとともに、耐荷重性に優れ、更には棚の配置態様の多様化を図ることができる棚構造を実現し提供できる。
【００１１】
請求項２記載の考案によれば、一対の支柱を例えば壁際に配置し、２個の平棚と、１個の深棚を各々前方に突出させる構成を採用しているので、各平棚、深棚における物品載置領域が支柱により制限されることがなく、上面全体を物品載置用領域として使用可能であり、すっきり感を現出できるとともに、耐荷重性に優れ頑丈であり、更には各平棚、深棚の配置態様の多様化を図ることができ、使用者の好みにより柔軟に対応できる棚構造を実現し提供できる。
【００１２】
請求項３記載の考案によれば、請求項１又は２に記載の考案の各効果を奏するとともに、各棚用受アームの各筒部には、各筒部を支柱に固定するための安全ボルトが配置されているので、棚用受アームの高さ調節や所望の位置での固定も簡略容易に行うことができ、棚用受アームの位置ずれ防止を図りつつ使用者の好みに柔軟に対応できる棚構造を実現し提供することができる。
【図面の簡単な説明】
【００１３】
【図１】図１は本考案の実施例に係る一例を示す支柱を使用した状態の棚構造の全体構成を示す概略斜視図である。
【図２】図２は本実施例に係る一例を示す支柱を使用した状態の棚構造を構成する部品群を示す概略説明図である。
【図３】図３は本実施例に係る一例を示す支柱を使用した状態の棚構造の組立工程を示す説明図である。
【図４】図４は本実施例に係る一例を示す支柱を使用した状態の棚構造における各棚用受アーム、各水平状のポール用受具の組立状態を示す概略斜視図である。
【図５】図５は本実施例に係る一例を示す支柱を使用した状態の棚構造における左右一対の棚用受アーム構造の相違を示す部分斜視図である。
【図６】図６は本実施例に係る一例を示す支柱を使用した状態の棚構造における平棚の棚用受アームに対する取り付け状態を示す部分拡大斜視図である。
【図７】図７は本実施例に係る一例を示す支柱を使用した状態の棚構造における棚用受アームの高さ調節状態を示す部分拡大斜視図である。
【考案を実施するための形態】
【００１４】
本考案に係る棚構造は、各棚における物品載置領域を棚支柱により制限されることがなく、すっきり感を現出できるとともに、耐荷重性に優れ、更には棚の配置態様の多様化を図ることができる棚構造を提供するという目的を、例えば壁面近傍の位置で、所定の間隔で並列に、かつ、垂直に配置する一対の支柱に基端側の各筒部を各々高さ調整可能に嵌装し、前記各筒部から突設したアーム部を前方に平行状態に突出させるとともに、前記各アーム部に棚用の受凹部を設けた２個一組を同一高さに設定する任意組数の棚用受アームと、２個一組の各棚用受アーム及びその各受凹部により水平状配置に支持した前記棚用受アームの組数に相当する個数の棚と、を有する構成によりにより実現した。
【実施例】
【００１５】
以下、本考案の実施例に係る棚構造について図面を参照して詳細に説明する。
【００１６】
本実施例に係る棚構造は、棚支柱として、例えば、図示するような伸縮式突っ張りポール型の支柱を使用した状態の棚１として以下説明する。棚支柱としては、図示例の他、各種の支柱を用いて本考案を実施できることは勿論である。
【００１７】
なお、図示する一例に係る伸縮式突っ張りポール型の棚支柱は、図１、図２に示すように、例えば、室内等における壁際の床側に配置する下端部に下部固定盤３を備える下部ポール２ａと、下部ポール２ａ内に下部側を嵌装するとともに上端部に滑り止めゴム円板付きの上部固定盤４を備え天井６２側に向けて突出可能とした上部ポール２ｂと、前記上部ポール２ｂを下部ポール２ａに対して固定又は伸縮可能としたワンタッチ固定具６とを具備し、例えば室内の壁面近傍の位置で、床面６１と天井６２との間において、前記ワンタッチ固定具６により上部ポール２ｂ、下部ポール２ａの全長を調節し前記下部固定盤３を床面６１に圧接し、前記上部固定盤４を前記天井６２に圧接した固定状態の基に、所定の間隔で並列（左右）に、かつ、垂直に配置する一対の伸縮式突っ張りポール型で、例えばスチール管からなる支柱２、２を有している。
【００１８】
以下の説明では、図示する一例の伸縮式突っ張りポール型の支柱２、２を使用した本考案に係る棚１を、例えば、室内等における壁際の床側に配置する例をもって行うが、本考案の棚１は、室内における壁面近傍の位置の他、室内等々の他の場所においても広範に使用できることは勿論である。
【００１９】
前記下部ポール２ａの外径は例えば３２ｍｍに、前記上部ポール２ｂの外径は例えば２８ｍｍに設定している。
【００２０】
また、本実施例に係る棚１は、前記支柱２、２に対して左右に分離して配置するために２個一組で合計３組、すなわち、６個の棚用受アーム８１と、２個の平棚９１と、１個の深棚１０１とを具備している。
【００２１】
本実施例に係る棚１においては、図１、図３に示すように、前記一対の支柱２、２を構成する一対の下部ポール２ａ、２ａに、基端側の各筒部８２を各々高さ調整可能に嵌装し、前記各筒部８２から突設したアーム部８３を例えば壁面前方に平行状に突出させるとともに、前記各アーム部８３の上端部に棚用の受凹部８４を例えば３個分離配置に設けた２個の棚用受アーム８１、８１を一組とし、これを２組用意して一対の下部ポール２ａ、２ａに上下２段にわたって配置している。
【００２２】
すなわち、左右配置となる一対の下部ポール２ａ、２ａに対して、上段に左右対称配置に２個、下段に左右対称配置に２個、合計２組４個の態様で各棚用受アーム８１を配置している。
【００２３】
一方、前記一対の支柱２、２を構成する一対の上部ポール２ｂ、２ｂには、基端側の各筒部８２を各々高さ調整可能に嵌装し、前記各筒部８２から突設したアーム部８３を例えば壁面前方に平行状に突出させるとともに、前記各アーム部８３の上端部に棚用の受凹部８４を例えば３個分離配置に設けた一組２個の棚用受アーム８１、８１を配置している。
【００２４】
前記各棚用受アーム８１の各筒部８２には、棚用受アーム８１を下部ポール２ａ又は上部ポール２ｂに固定するための安全ボルト８５を配置している。
【００２５】
更に、前記一対の支柱２、２を構成する一対の上部ポール２ｂ、２ｂには、前記２個の棚用受アーム８１、８１の下側に位置して、基端側の各筒部１１２を各々高さ調整可能に嵌装し、前記各筒部１１２から突設したアーム部１１３を例えば壁面前方に平行状に突出させるとともに、突出端部にＵ状の水平状のポール受凹部１１４を設けた一対の水平状のポール用受具１１１、１１１を配置している。
【００２６】
本考案に係る棚構造においては、例えば公知である伸縮式の水平状のポール１２１を架け渡すための水平状のポール用受具１１１、１１１を具備して実施しても良い。
【００２７】
前記水平状のポール用受具１１１を設ける場合、その筒部１１２にも、水平状のポール用受具１１１を上部ポール２ｂに固定するための安全ボルト８５を配置している。
【００２８】
前記平棚９１は、図２に示すように、スチール製の線材を用い、エポキシ粉体塗装を施して形成したものであり、例えば長方形状に枠組みした網枠９２と、この網枠９２の両短辺の中央位置でこれら両短辺間に両端を固着した中央連結片９３と、網枠９２の一方の長辺に一端を固着し、中央連結片９３の上部に中央部の下側を固着し、網枠９２の他方の長辺に他端を固着した小径連結片９４と具備し、小径連結片９４を一定の間隔をもって前記網枠９２内に多数列設した構造としている。
【００２９】
すなわち、平棚９１は全体として長方形状で、その上面にメッシュ状を呈する物品載置領域を形成するようになっている。
【００３０】
前記深棚１０１は、図２に示すように全体として略直方体状で上面が開口した一定深さを有する物品載置領域を形成する網籠型形状に形成している。
【００３１】
すなわち、深棚１０１は、スチール製の線材を用い、エポキシ粉体塗装を施して形成したものであり、例えば長方形状に枠組みした網枠１０２と、この網枠１０２に連結した一定深さの網状バケット部１０３とを具備している。
【００３２】
前記各下部ポール２ａ、２ａには、図１に示すように、上下配置に片側２個、合計４個のゴムリング１２２を装着し、ストッパーとして機能させるようになっている。
【００３３】
同様に、前記各上部ポール２ｂ、２ｂにも、上下配置に片側２個、合計４個のゴムリング１２２を装着し、ストッパーとして機能させるようになっている。
【００３４】
前記上部ポール２ｂの上端に配置した上部固定盤４は、上端の側が円盤状で、かつ、下方に向けて筒状の受筒体（図示せず）を突設させた当接基体（図示せず）と、前記当接基体の開口部内に嵌装させるとともに上端側を閉塞させ、前記第２ポールの上端が着脱可能に装着される受筒体と、前記当接基体の内部に設けた受片（図示せず）と、受筒体の上端面との間に配置する付勢バネ（図示せず）と、前記当接基体の上端面側に着脱可能に配置した薄い円盤状の滑り止めゴム円板５とを具備している。
【００３５】
前記支柱の受筒体に上部ポール２ｂの上端を装着し、当接基体の上端面側を天井６２に当接させるとき、前記付勢バネにより前記当接基体を、弾性をもって天井６２側に圧接するように構成している。また、このとき、滑り止めゴム円板５の柔軟性により天井面の損傷を防止するようにしている。
【００３６】
次に、本実施例に係る棚１の組立工程について、図３乃至図７を参照して説明する。
【００３７】
本実施例に係る棚１を室内等における壁際に配置する場合には、まず、図３に示すように、前記棚用受アーム８１を３個所網の間隔で取り付け、かつ、前記水平状のポール用受具１１１を取り付けた一方の支柱２を壁際の床面６１と天井６２との間に突っ張り状態でしっかりと垂直配置に固定する。
【００３８】
このとき、前記ワンタッチ固定具６を既述したような圧着解除状態としておき、右手で下部ポール２ａをしっかりと握り、左手で上部ポール２ｂの上端の上部固定盤４を天井６２に押し当てるようにする。そして、前記ワンタッチ固定具６を圧着状態に戻し、一方の支柱２を固定する。
【００３９】
次に、床面６１上に例えば平棚９１を置き、この平棚９１の幅を目安にした他方の支柱２を上述した場合と同様にして前記一方の支柱２と並列に固定する。
【００４０】
図４は、棚用受アーム８１、水平状のポール用受具１１１、ゴムリング１２２を各々所要個数取り付けた一対の支柱２、２を分解状態で示すものである。
【００４１】
そして、一対の下部ポール２ａ、２ａに取り付けた各棚用受アーム８１における上段の棚用受アーム８１、８１に平棚９１を、下段の棚用受アーム８１、８１に前記深棚１０１を各々設置する。
【００４２】
同様に、一対の上部ポール２ｂ、２ｂに取り付けた各棚用受アーム８１に平棚９１を設置する。以上の工程により組立が完了する。
【００４３】
上述したような組立工程において、前記各棚用受アーム８１に関しては、左右に配置する一対の棚用受アーム８１、８１が構造の点で若干相違する点に留意する。
【００４４】
すなわち、図５に示すように、一対の棚用受アーム８１、８１のうちの左側に配置する一方の棚用受アーム８１からのアーム部８３の突設位置は、その筒部８２の中心から左側（左側方）にずれた位置とし、他方の棚用受アーム８１からのアーム部８３の突設位置は、その筒部８２の中心から右側（右側方）にずれた位置としている。
【００４５】
このような構造とすることで、前記平棚９１、深棚１０１をより広幅の仕様とすることができ、物品載置領域の拡大を図ることができる。
【００４６】
上述したような組立工程において、前記平棚９１の棚用受アーム８２に対する取り付けは、図６に示すように、前記平棚９１の網枠９２における両長辺の各隅部及び中央連結片９３の両隅部を、前記棚用受アーム８１の３個の受凹部８４に嵌着することで、前記平棚９１を棚用受アーム８１のアーム部８３、受凹部８４により支持するものである。
【００４７】
前記深棚１０１についても、この深棚１０１の網枠１０２を前記棚用受アーム８１の３個の受凹部８４に嵌着することで、深棚１０１を棚用受アーム８１のアーム部８３、受凹部８４により支持するものである。
【００４８】
この場合、前記平棚９１、深棚１０１の両隅部の寸法仕様を共通化することで、平棚９１、深棚１０１をどの高さ位置に設置するかの自由度が高まり、使用者の好みに対応させることができる。
【００４９】
図７は、例えば下部ポール２ａに対する棚用受アーム８１の高さ調節の態様を示すものであり、下部ポール２ａに棚用受アーム８１の筒部２を嵌装した状態で、安全ボルト８５を緩め、棚用受アーム８１を任意の位置までスライドさせた後、安全ボルト８５を締め付けることで、棚用受アーム８１の高さ、したがって、前記平棚９１又は深棚１０１の高さを所望の位置に固定することができる。
【００５０】
このような高さ調節は、棚用受アーム８１を下部ポール２ａ又は上部ポール２ｂに取り付けた後でも随時実行でき、使用者の好みに対応させることができる。
【００５１】
なお、図示するものではないが、本実施例に係る棚１の具体的な使用態様は、各棚内に各種のものを収納したり、また、水平状のポール１２１を配置する構成とした場合、当該ポール１２１に衣類を架けたりして使用する。
【００５２】
本実施例に係る棚１における各要素の耐荷重の一例に言及すると、前記平棚９１は１個当たり約１０ｋｇ、深棚１０１は１個当たり約１５ｋｇ、水平状のポール１２１は一本当たり約２０ｋｇ等の例を挙げることができる。
【００５３】
本実施例に係る棚１によれば、以下の効果を奏する。
【００５４】
すなわち、前記図示例の一対の支柱２、２を例えば壁際のみに配置し、平棚９１、深棚１０１を各々前方に突出させる構成を採用しているので、各平棚９１、深棚１０１における物品載置領域が支柱２、２により制限されることがなく、上面全体を物品載置用領域として使用可能であり、すっきり感を現出できるとともに、支柱２や棚用受アーム８１をスチール製としているので、耐荷重性に優れ頑丈であり、更には各平棚９１、深棚１０１の配置態様の多様化を図ることができる伸縮式突っ張りポール型の支柱を使用した棚１を実現し提供できる。
【００５５】
また、各棚用受アーム８１を共通仕様とし、かつ、平棚９１、深棚１０１も共通仕様とすることで、平棚９１、深棚１０１を任意に選択して各棚用受アーム８１に設置することができ、使用者の好みに柔軟に対応できる。
【００５６】
更に、各棚用受アーム８１は、使用者の好みに応じて任意に高さ調節できるので、平棚９１や深棚１０１に載置する物品の大小の相違にも柔軟に対応することが可能となる。
【００５７】
更に、本実施例の棚１によれば、左右一対の支柱２、２の設置間隔を変更し、これに対応して前述した水平状のポール１２１の長さを変更して配置することも可能であり、水平状のポール１２１に架ける衣類１２３の多寡にも柔軟に対応することが可能となる。
【００５８】
更にまた、各棚用受アーム８１、各水平状のポール用受具１１１に安全ボルト８５を配置しているので、棚用受アーム８１、水平状のポール用受具１１１の高さ調節や所望の位置での固定も簡略容易に行うことができ、棚用受アーム８１、水平状のポール用受具１１１の位置ずれ防止を図りつつ使用者の好みに柔軟に対応できる。
【産業上の利用可能性】
【００５９】
本考案の棚は、比較的簡略な構成でありながら、段ボール箱、各種日用品、衣類等の各種物品載置用及び衣類等の架け置き用として広範に活用可能である。
【符号の説明】
【００６０】
１    伸縮式突っ張りポール型の支柱を使用した棚
２    支柱
２ａ  下部ポール
２ｂ  上部ポール
３    下部固定盤
４    上部固定盤
６    ワンタッチ固定具
６１    床面
６２    天井
８１    棚用受アーム
８２    筒部
８３    アーム部
８４    受凹部
８５    安全ボルト
９１    平棚
９２    網枠
９３    中央連結片
９４    小径連結片
１０１    深棚
１０２    網枠
１０３    網状バケット部
１１１    水平状のポール用受具
１１２    筒部
１１３    アーム部
１１４    水平状のポール受凹部
１２１    水平状のポール
１２２    ゴムリング
【図１】
0003191111.tif 000003
【図２】
0003191111.tif 000004
【図３】
0003191111.tif 000005
【図４】
0003191111.tif 000006
【図５】
0003191111.tif 000007
【図６】
0003191111.tif 000008
【図７】
0003191111.tif 000009